(57)【特許請求の範囲】
【請求項１】
水中に設置される装置本体にジェット水噴出機構を具備する水中掘削装置において、該ジェット水噴出機構が、周囲の水を吸引してジェット水を発生するジェット水発生部と、基部が前記ジェット水発生部に連結されるジェット水圧送配管と、該ジェット水圧送配管に設けられたホース接続部に連結される可撓性を有するジェット水噴出ホースと、該ジェット水噴出ホースの自由端を形成する先端に連結されるジェット水噴出ノズルとを具備することを特徴とするジェット水を噴出可能な水中掘削装置。
【請求項２】
請求項１記載のジェット水を噴出可能な水中掘削装置において、前記ジェット水噴出機構のジェット水圧送配管は前記装置本体の底部に環状に取付けられ、該ジェット水圧送配管の下面に周方向に間隔を開けて複数の前記ホース接続部が設けられ、該ホース接続部に前記ジェット水噴出ホースが下方に向けて伸延する状態に連結されていることを特徴とするジェット水を噴出可能な水中掘削装置。
【請求項３】
請求項１記載のジェット水を噴出可能な水中掘削装置において、前記ジェット水噴出機構のジェット水圧送配管は前記装置本体の底部に環状に取付けられ、該ジェット水圧送配管の外周面に周方向に間隔を開けて複数の前記ホース接続部が設けられ、該ホース接続部に前記ジェット水噴出ホースが水平放射状に伸延する状態に連結されていることを特徴とするジェット水を噴出可能な水中掘削装置。
【請求項４】
請求項１記載のジェット水を噴出可能な水中掘削装置において、前記ジェット水噴出機構のジェット水圧送配管は前記装置本体の底部に環状に取付けられ、該ジェット水圧送配管の下面及び外周面に周方向に間隔を開けて複数の前記ホース接続部が設けられ、該ホース接続部に前記ジェット水噴出ホースが下方及び水平放射状に伸延する状態に連結されていることを特徴とするジェット水を噴出可能な水中掘削装置。
【請求項５】
請求項１〜４のいずれか１項に記載のジェット水を噴出可能な水中掘削装置において、前記水中掘削装置の装置本体は、下面に吸引開口部を有すると共に周縁に吐出開口部を有するインペラーケーシングと、該インペラーケーシング内に配置したインペラーと、前記インペラーケーシングの上部に一体的に連設し、出力軸を前記インペラーに連結した回転モータとを具備する水中ポンプであり、前記ジェット水圧送配管は前記インペラーケーシングの下面に取付けられることを特徴とするジェット水を噴出可能な水中掘削装置。
【請求項６】
請求項１〜４のいずれか１項に記載のジェット水を噴出可能な水中掘削装置において、前記水中掘削装置の装置本体は、下面に吸引開口部を有すると共に周縁に吐出開口部を有するインペラーケーシングと、該インペラーケーシング内に配置したインペラーと、前記インペラーケーシングの上部に一体的に連設し、出力軸に前記インペラーを連結した回転モータと、該回転モータの出力軸の伸延部に連結した攪拌羽根を具備する水中ポンプであり、前記ジェット水圧送配管は前記インペラーケーシングの下面に取付けられるジェット水を噴出可能な水中掘削装置。
【請求項７】
水中に設置される装置本体の下部に掘削工具を具備すると共にジェットエア噴出機構を具備する水中掘削装置において、該ジェットエア噴出機構が、水上又は地上に配設され周囲の空気を吸引圧縮してジェットエアを発生するジェットエア発生部と、基部がジェットエア発生部に連結されるジェットエア圧送配管と、該ジェットエア圧送配管に設けられたホース接続部に連結される可撓性を有するジェットエア噴出ホースと、該ジェットエア噴出ホースの自由端を形成する先端に連結されるジェットエア噴出ノズルとを具備することを特徴とするジェットエアを噴出可能な水中掘削装置。
【発明の詳細な説明】
【０００１】
【発明の属する技術分野】
本発明は、海底や水底における土砂等を掘削する掘削作業や掘削後の土砂等を地上や海上に排出する浚渫作業等に用いることができるジェット水を噴出可能な水中掘削装置及びジェットエアを噴出可能な水中掘削装置に関する。
【０００２】
【従来の技術】
従来、上記した使用目的に供される水中掘削装置の一形態として、土砂運搬船から海底に向けて長尺のブームを伸延し、その伸延端にインペラや攪拌羽根を有する水中ポンプを取付けたものがある。この水中掘削装置を用いた浚渫作業について説明すると、攪拌羽根で海底面を掘削・攪拌して土砂等を浮揚させると共に、インペラの回転によって浮揚した土砂を水中ポンプのインペラケーシング内に吸引し、その後、土砂等を土砂等排出管を通して土砂運搬船まで移送するようにしている。また、インペラーケーシングにさらに複数のジェット水噴出ノズルを設け、ジェット水を海底面に向けて噴射し、土砂等を掘削・攪拌するようにした水中掘削装置も近年開発されている。
【０００３】
【発明が解決しようとする課題】
しかし、上記した従来のジェット水を噴出可能な水中掘削装置は、未だ、以下の解決すべき課題を有していた。
即ち、上記したジェット水噴出ノズルは、インペラーケーシングの下部に、噴射方向を下方に向けた状態で固着されている。従って、各ジェット水噴出ノズルの指向性により掘削範囲が極めて狭い範囲に限られることになり、十分な広さの範囲で均一な掘削を行うことができなかった。なお、多数のジェット水噴出ノズルを密着状態に取付ければ掘削を均一に行うことができると考えられるが、この場合においても、噴射方向は下方のみなので、掘削範囲をインペラーケーシングの周縁まで広げることができず、また、多数のジェット水噴出ノズルを取付けるため、水中掘削装置の製造コストが著しく高くなるという問題も生じる。
【０００４】
本発明は、このような事情に鑑みなされたものであり、少ないジェット水噴出ノズルを用いて均一かつ広範囲にわたって海底面や水底面を掘削することができ、効率的に掘削作業や浚渫作業を行うことができると共に安価に製作できるジェット水を噴出可能な水中掘削装置及びジェットエアを噴出可能な水中掘削装置を提供することを目的とする。
【０００５】
【課題を解決するための手段】
前記目的に沿う請求項１記載のジェット水を噴出可能な水中掘削装置は、水中に設置される装置本体にジェット水噴出機構を具備する水中掘削装置において、該ジェット水噴出機構が、周囲の水を吸引してジェット水を発生するジェット水発生部と、基部が前記ジェット水発生部に連結されるジェット水圧送配管と、該ジェット水圧送配管に設けられたホース接続部に連結される可撓性を有するジェット水噴出ホースと、該ジェット水噴出ホースの自由端を形成する先端に連結されるジェット水噴出ノズルとを具備する。
【０００６】
請求項２記載のジェット水を噴出可能な水中掘削装置は、請求項１記載のジェット水を噴出可能な水中掘削装置において、前記ジェット水噴出機構のジェット水圧送配管は前記装置本体の底部に環状に取付けられ、該ジェット水圧送配管の下面に周方向に間隔を開けて複数の前記ホース接続部が設けられ、該ホース接続部に前記ジェット水噴出ホースが下方に向けて伸延する状態に連結されている。
【０００７】
請求項３記載のジェット水を噴出可能な水中掘削装置は、請求項１記載のジェット水を噴出可能な水中掘削装置において、前記ジェット水噴出機構のジェット水圧送配管は前記装置本体の底部に環状に取付けられ、該ジェット水圧送配管の外周面に周方向に間隔を開けて複数の前記ホース接続部が設けられ、該ホース接続部に前記ジェット水噴出ホースが水平放射状に伸延する状態に連結されている。
【０００８】
請求項４記載のジェット水を噴出可能な水中掘削装置は、請求項１記載のジェット水を噴出可能な水中掘削装置において、前記ジェット水噴出機構のジェット水圧送配管は前記装置本体の底部に環状に取付けられ、該ジェット水圧送配管の下面及び外周面に周方向に間隔を開けて複数の前記ホース接続部が設けられ、該ホース接続部に前記ジェット水噴出ホースが下方及び水平放射状に伸延する状態に連結されている。
【０００９】
請求項５記載のジェット水を噴出可能な水中掘削装置は、請求項１〜４のいずれか１項に記載のジェット水を噴出可能な水中掘削装置において、前記水中掘削装置の装置本体は、下面に吸引開口部を有すると共に周縁に吐出開口部を有するインペラーケーシングと、該インペラーケーシング内に配置したインペラーと、前記インペラーケーシングの上部に一体的に連設し、出力軸を前記インペラーに連結した回転モータとを具備する水中ポンプであり、前記ジェット水圧送配管は前記インペラーケーシングの下面に取付けられる。
【００１０】
請求項６記載のジェット水を噴出可能な水中掘削装置は、請求項１〜４のいずれか１項に記載のジェット水を噴出可能な水中掘削装置において、前記水中掘削装置の装置本体は、下面に吸引開口部を有すると共に周縁に吐出開口部を有するインペラーケーシングと、該インペラーケーシング内に配置したインペラーと、前記インペラーケーシングの上部に一体的に連設し、出力軸に前記インペラーを連結した回転モータと、該回転モータの出力軸の伸延部に連結した攪拌羽根を具備する水中ポンプであり、前記ジェット水圧送配管は前記インペラーケーシングの下面に取付けられる。
【００１１】
請求項７記載のジェットエアを噴出可能な水中掘削装置は、水中に設置される装置本体の下部に掘削工具を具備すると共にジェットエア噴出機構を具備する水中掘削装置において、該ジェットエア噴出機構が、水上又は地上に配設され周囲の空気を吸引圧縮してジェットエアを発生するジェットエア発生部と、基部がジェットエア発生部に連結されるジェットエア圧送配管と、該ジェットエア圧送配管に設けられたホース接続部に連結される可撓性を有するジェットエア噴出ホースと、該ジェットエア噴出ホースの自由端を形成する先端に連結されるジェットエア噴出ノズルとを具備する。
【００１２】
【発明の実施の形態】
続いて、添付した図面を参照しつつ、本発明を具体化した実施の形態につき説明し、本発明の理解に供する。
【００１３】
（第１の実施の形態）
まず、図１及び図２を参照して、本発明の第１の実施の形態に係るジェット水を噴出可能な水中掘削装置Ａの全体構成について説明する。
図示するように、本実施の形態において、水中掘削装置Ａの装置本体は実質的に海底１０に近接して水中に配置された水中ポンプ１１から形成されている。水中ポンプ１１は長尺の装置本体支持フレーム１２の先部に固定状態に取付けられており、装置本体支持フレーム１２の基部は、土砂等運搬船１３に搭載した支持台１４に回転自在に支持されている。そして、水中に設置される水中ポンプ１１の底部にはジェット水噴出機構１５が取付けられている。
【００１４】
次に、上記した構成を有するジェット水を噴出可能な水中掘削装置Ａの各部の構成について、図１〜図５を参照して具体的に説明する。
図１及び図２に示すように、水中ポンプ１１は、下面に吸引開口部１６を有すると共に周縁に吐出開口部１７を有するインペラーケーシング１８と、インペラーケーシング１８内に配置したインペラー１９と、インペラーケーシング１８の上部に一体的に連設し、出力軸１９ａにインペラー１９を連結した回転モータ２０と、回転モータ２０の出力軸１９ａの伸延部に連結した掘削工具の一例である攪拌羽根２１を具備する。また、吐出開口部１７には土砂等排出管２２の一端が連結されており、土砂等排出管２２の他端は装置本体支持フレーム１２に沿って上方に伸延し、土砂等搬送船１３上に搭載した土砂等貯留タンク２３に連結されている。
上記した構成を有する水中ポンプ１１は、図１及び図２に示すように、水中ポンプ１１の周縁に配置した複数の固定リブ２４を用いて装置本体支持フレーム１２の下端部に強固に固定される。
【００１５】
次に、図２及び図３を参照してジェット水噴出機構１５について説明すると、水中ポンプ１１の頂部よりわずかに上方に位置する装置本体支持フレーム１２の部分には、周囲の水を吸引してジェット水を発生することができるジェット水発生部２５が配設されている。即ち、ジェット水発生部２５は、実質的に小型の水中ポンプから形成されており、下面にフィルタ付きの吸引開口部２６を有すると共に周縁に吐出開口部２７を有するインペラーケーシング２８と、インペラーケーシング２８内に配置したインペラー２９と、インペラーケーシング２８の上部に一体的に連設し、出力軸２９ａにインペラー２９を連結した回転モータ３０とを具備する。
【００１６】
インペラーケーシング２８の吐出開口部２７には、水中ポンプ１１の外側面に沿って長手方向に伸延する第１のジェット水圧送配管３１の上端部（基部）が連結されている。一方、第１のジェット水圧送配管３１の下端部は、水中ポンプ１１のインペラーケーシング１８の底部（下面）に連設した筒状ストレーナ３２の周囲に取付けられた環状の第２のジェット水圧送配管３３に連結されている。なお、第２のジェット水圧送配管３３は円周方向に間隔をあけて配置された複数の固定リブ３４を用いて筒状ストレーナ３２に固定されている。
【００１７】
図３及び図４に示すように、第２のジェット水圧送配管３３の下面には、周方向に間隔を開けて複数のホース接続部３５が設けられており、各ホース接続部３５には可撓性を有する長尺のジェット水噴出ホース３６の基端が下方に向けて伸延する状態に連結されている。そして、ジェット水噴出ホース３６の自由端を形成する先端にはジェット水噴出ノズル３７が取付けられている。
ここでジェット水噴出ホース３６は、後述するように噴射反力を受けた場合、より柔軟に屈曲する必要があるので、可撓性を有するゴムホースやビニールチューブから形成するのが好ましい。
【００１８】
ホース接続部３５は金属製の第２のジェット水圧送配管３３に連結するため金属製の管から形成されている。即ち、ホース接続部３５の基部は補強リング３８を用いて第２のジェット水圧送配管３３に溶接によって連結されている。一方、ホース接続部３５の先部には鋸歯状表面を有する抜け止め嵌合部３９が形成されており、この抜け止め嵌合部３９にジェット水噴出ホース３６の基端を嵌合することによって両者を確実に連結することができる。同様に、ジェット水噴出ノズル３７の基部にも鋸歯状表面を有する抜け止め嵌合部４０が形成されており、この抜け止め嵌合部４０にジェット水噴出ホース３６の自由端を嵌合することによって両者を確実に連結することができる。
【００１９】
図５にジェット水噴出ノズル３７、３７ａ、３７ｂの噴出孔４１〜４３の例を示す。図示するように、図５（ａ）のジェット水噴出ノズル３７は、噴出孔４１の形状を通常の円孔とした場合であり、図５（ｂ）のジェット水噴出ノズル３７ａは、噴出孔４２の形状を十字状孔とした場合であり、図５（ｃ）のジェット水噴出ノズル３７ｂは、噴出孔４３の形状を細長スリット孔とした場合である。
【００２０】
次に、上記した構成を有するジェット水を噴出可能な水中掘削装置Ａの作動について、図１〜図４を参照して説明する。
水中ポンプ１１の回転モータ２０を駆動してインペラー１９と攪拌羽根２１を一体的に回転すると共に、ジェット水発生部２５の回転モータ３０を駆動してインペラー２９を回転する。この攪拌羽根２１の回転によって、海底１０の表面が掘削されると共に土砂が付近の水に攪拌され浮揚状態となる。また、インペラー２９の回転によってジェット水が発生し、このジェット水は第１のジェット水圧送配管３１、第２のジェット水圧送配管３３、ホース接続部３５、ジェット水噴出ホース３６及びジェット水噴出ノズル３７を通して海底１０に噴出され、攪拌羽根２１による場合と同様に海底１０の表面が掘削されると共に土砂が付近の水に攪拌され浮揚状態となる。
同時に、インペラー１９の回転によってインペラーケーシング１８内が負圧となり、上記した攪拌羽根２１とジェット水噴出ノズル３７の協働によって浮揚した土砂が、水中ポンプ１１のインペラケーシング１８内に吸引され、その後、土砂等排出管２２を通して土砂等運搬船１３に搭載されている土砂等貯留タンク２３内に移送される。
【００２１】
上記した浚渫作業において、本実施の形態では、ジェット水噴出ノズル３７は可撓性を有するジェット水噴出ホース３６の自由端に取付けられているので、ジェット水をジェット水噴出ノズル３７から水中に強力に噴射した際に受ける噴射反力によってジェット水噴出ホース３６は図４に示すように広い角度でランダム方向に屈曲し、その結果、ジェット水を、海底１０のスポット的な狭い個所ではなく一定の広さを有する面からなる個所に向けて噴射することができる。従って、ジェット水噴出ノズル３７を水中ポンプ１１の底部に複数個取付けるだけで、海底１０を広範囲かつ均一に掘削及び攪拌することができ、浚渫作業を効率的に行うことができる。
特に、ジェット水噴出ノズル３７ａ、３７ｂの噴射孔４２、４３の形状を、図５（ｂ）に示す十字形状や図５（ｃ）に示す細長スリット状のようなアンバランスな形状にすることによって、ジェット水噴出ホース３６をさらにランダム方向に屈曲することができ、海底１０をさらに広範囲かつ均一に掘削及び攪拌することができる。
【００２２】
また、図６に、本実施の形態の変形例に係るジェット水を噴出可能な水中掘削装置Ａ１の要部構成を示す。図示するように、本変形例は、図１〜図５を参照して説明した水中掘削装置Ａと同様に第２のジェット水圧送配管３３の下面に周方向に間隔をあけて複数のジェット水噴出ノズル３７を取付けると共に、その外周面に周方向に間隔をあけて水平放射状に伸延する状態に複数のジェット水噴出ノズル４６を取付けたことを特徴とする。
【００２３】
即ち、図６に示すように、第２のジェット水圧送配管３３の外周面には、周方向に間隔を開けて複数のホース接続部４４が設けられており、各ホース接続部４４には可撓性を有する長尺のジェット水噴出ホース４５の基端が水平放射状に伸延する状態に連結されている。そして、ジェット水噴出ホース４５の自由端を形成する先端にはジェット水噴出ノズル４６が取付けられている。ここで、ホース接続部４４、ジェット水噴出ホース４５、ジェット水噴出ノズル４６は、それぞれ、図１〜図５を参照して説明したホース接続部３５、ジェット水噴出ホース３６、ジェット水噴出ノズル３７と同一構成を有する。
上記した構成によって、ジェット水噴出ノズル４６によって水中ポンプ１１の下方に位置する海底１０を広範囲にわたって均一に掘削・攪拌することができるのみならず、ジェット水噴出ノズル４６によって水中ポンプ１１の横側方に位置する海底１０も広範囲にわたって均一に掘削・攪拌することができる。
【００２４】
（第２の実施の形態）
次に、図７及び図８を参照して、本発明の第２の実施の形態に係るジェットエアを噴出可能な水中掘削装置Ａ２の全体構成について説明する。
図示するように、本実施の形態に係るジェットエアを噴出可能な水中掘削装置Ａ２は、第１の実施の形態に係るジェット水を噴出可能な水中掘削装置Ａにおいて、海底１０を掘削するために、ジェット水噴出機構１５に代えて、ジェットエア噴出機構４７を用いるようにしたことを特徴とする。なお、ジェットエアを噴出可能な水中掘削装置Ａ２における他の構成は、ジェット水を噴出可能な水中掘削装置Ａと同一なので、同一の構成要素は同一の符号で示す。
【００２５】
次に、図７及び図８を参照してジェットエア噴出機構４７について説明すると、土砂等運搬船１３上にはジェットエア発生部の一例であるエアコンプレッサ４８が配置されている。
エアコンプレッサ４８の吐出開口部４９には、装置本体支持フレーム１２の外側面に沿って長手方向に伸延する第１のジェットエア圧送配管５０の上端部（基部）が連結されている。一方、第１のジェットエア圧送配管５０の下端部は、水中ポンプ１１のインペラーケーシング１８の底部に連設した筒状ストレーナ３２の周囲に取付けられた環状の第２のジェットエア圧送配管５１に連結されている。
【００２６】
図７及び図８に示すように、第２のジェットエア圧送配管５１の下面には、周方向に間隔を開けて複数のホース接続部５２が設けられており、各ホース接続部５２には可撓性を有する長尺のジェットエア噴出ホース５３の基端が下方に向けて伸延する状態に連結されている。そして、ジェットエア噴出ホース５３の自由端を形成する先端にはジェットエア噴出ノズル５４が取付けられている。
ここでホース接続部５２、ジェットエア噴出ホース５３及びジェットエア噴出ノズル５４は、それぞれ、第１の実施の形態におけるホース接続部３５、ジェット水噴出ホース３６及びジェット水噴出ノズル３７と同一の構成を有する。
【００２７】
次に、上記した構成を有するジェットエアを噴出可能な水中掘削装置Ａ２の作動について、図７及び図８を参照して説明する。
水中ポンプ１１の回転モータ２０を駆動してインペラー１９と攪拌羽根２１を一体的に回転すると共に、エアコンプレッサ４８を駆動する。この攪拌羽根２１の回転によって、海底１０の表面が掘削されると共に土砂が付近の水に攪拌され浮揚状態となる。また、エアコンプレッサ４８の駆動によって周囲の空気を吸引圧縮しジェットエアを発生させる。このジェットエアは第１のジェットエア圧送配管５０、第２のジェットエア圧送配管５１、ホース接続部５２、ジェットエア噴出ホース５３及びジェットエア噴出ノズル５４を通して海底１０に噴出され、攪拌羽根２１による場合と同様に海底１０の表面が掘削されると共に土砂が付近の水に攪拌され浮揚状態となる。
同時に、インペラー１９の回転によってインペラーケーシング１８内が負圧となり、上記した攪拌羽根２１とジェットエア噴出ノズル５４の協働によって浮揚した土砂が、水中ポンプ１１のインペラケーシング１８内に吸引され、その後、土砂等排出管２２を通して土砂等運搬船１３に搭載されている土砂等貯留タンク２３内に移送される。
【００２８】
上記した浚渫作業において、本実施の形態では、ジェットエア噴出ノズル５４は可撓性を有するジェットエア噴出ホース５３の自由端に取付けられているので、ジェットエアをジェットエア噴出ノズル５４から水中に強力に噴射した際に受ける噴射反力によってジェットエア噴出ホース５３はランダム方向に屈曲し、その結果、ジェットエアを、海底１０のスポット的な狭い個所ではなく一定の広さを有する面からなる個所に向けて噴射することができる。従って、ジェットエア噴出ノズル５４を水中ポンプ１１の底部に複数個取付けるだけで、海底１０を広範囲かつ均一に掘削及び攪拌することができ、浚渫作業を効率的に行うことができる。
【００２９】
以上、本発明を、幾つかの実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。
例えば、上記した第１の実施の形態においては、ジェット水発生部は水中に配置しているが、地上又は水上に配置することもできる。また、ジェット水やジェットエアを噴出可能な水中掘削装置の装置本体を形成する水中ポンプ１１は、装置本体支持フレーム１２の先部に取付けたが、そのまま水底又は海底に載置することもできる。
【００３０】
【発明の効果】
請求項１〜６記載のジェット水を噴出可能な水中掘削装置においては、ジェット水噴出ノズルは可撓性を有するジェット水噴出ホースの自由端に取付けられているので、ジェット水をジェット水噴出ノズルから水中に噴射した際に受ける噴射反力によってジェット水噴出ホースは広い角度でランダム方向に屈曲し、その結果、ジェット水を、海底や水底のスポット的な狭い個所ではなく一定の広さを有する面からなる個所に向けて噴射することができる。従って、ジェット水噴出ノズルを装置本体の底部に複数個取付けるだけで、海底等を広範囲にわたってかつ均一に掘削及び攪拌することができ、掘削作業、浚渫作業等を効率的に行うことができ、安価に製作できる。
【００３１】
請求項２記載のジェット水を噴出可能な水中掘削装置においては、ジェット水圧送配管を装置本体の底部に環状に取付け、ジェット水圧送配管の下面に周方向に間隔を開けて複数のホース接続部を設け、ホース接続部にジェット水噴出ホースが下方に向けて伸延する状態に連結したので、装置本体の下方に位置する海底等を広範囲にわたってかつ均一に掘削及び攪拌することができる。
【００３２】
請求項３記載のジェット水を噴出可能な水中掘削装置においては、ジェット水圧送配管を装置本体の底部に環状に取付け、ジェット水圧送配管の外周面に周方向に間隔を開けて複数のホース接続部を設け、ホース接続部にジェット水噴出ホースが水平放射状に伸延する状態に連結したので、装置本体の横方向の位置する海底等を広範囲にわたってかつ均一に掘削及び攪拌することができる。
【００３３】
請求項４記載のジェット水を噴出可能な水中掘削装置においては、ジェット水圧送配管の下面に設けたジェット水噴出ノズルによって装置本体の下方に位置する海底等を広範囲にわたって均一に掘削・攪拌することができるのみならず、ジェット水圧送配管の外周面に設けたジェット水噴出ノズルによって装置本体の横側方に位置する海底等も広範囲にわたって均一に掘削・攪拌することができる。
【００３４】
請求項５記載のジェット水を噴出可能な水中掘削装置においては、ジェット水噴出ノズルによって効率よく掘削・攪拌された土砂等を、インペラーの駆動によってインペラーケーシング内に吸引した後、土砂等排出管を通して土砂搬送船等に効果的に移送することができる。
【００３５】
請求項６記載のジェット水を噴出可能な水中掘削装置においては、ジェット水噴出ノズルと攪拌羽根の協働によって効率よく掘削・攪拌された土砂等を、インペラーの駆動によってインペラーケーシング内に吸引した後、土砂等排出管を通して土砂搬送船等に効果的に移送することができる。
【００３６】
請求項７記載のジェットエアを噴出可能な水中掘削装置においては、ジェットエア噴出ノズルは可撓性を有するジェットエア噴出ホースの自由端に取付けられているので、ジェットエアをジェットエア噴出ノズルから水中に噴射した際に受ける噴射反力によってジェットエア噴出ホースは広い角度でランダム方向に屈曲し、その結果、ジェット水を、海底や水底のスポット的な狭い個所ではなく一定の広さを有する面からなる個所に向けて噴射することができる。従って、ジェットエア噴出ノズルを水中ポンプの底部に複数個取付けるだけで、海底等を広範囲にわたってかつ均一に掘削及び攪拌することができ、浚渫作業等を効率的に行うことができる。
【図面の簡単な説明】
【図１】本発明の第１の実施の形態に係るジェット水を噴出可能な水中掘削装置を具備する浚渫作業の説明図である。
【図２】本発明の第１の実施の形態に係るジェット水を噴出可能な水中掘削装置の側面図である。
【図３】同底面図である。
【図４】本発明の第１の実施の形態に係るジェット水を噴出可能な水中掘削装置のジェット水噴出機構の要部拡大正断面図である。
【図５】本発明の第１の実施の形態に係るジェット水を噴出可能な水中掘削装置のジェット水噴出機構のジェット水噴出ノズルの底面図である。
【図６】本発明の第１の実施の形態の変形例に係るジェット水を噴出可能な水中掘削装置の底面図である。
【図７】本発明の第２の実施の形態に係るジェットエアを噴出可能な水中掘削装置を具備する浚渫作業の説明図である。
【図８】本発明の第２の実施の形態に係るジェットエアを噴出可能な水中掘削装置の側面図である。
【符号の説明】
Ａ  ジェット水を噴出可能な水中掘削装置
Ａ１  ジェット水を噴出可能な水中掘削装置
Ａ２  ジェットエアを噴出可能な水中掘削装置
１０  海底                          １１  水中ポンプ（装置本体）
１２  装置本体支持フレーム          １３  土砂等運搬船
１４  支持台                        １５  ジェット水噴出機構
１６  吸引開口部                    １７  吐出開口部
１８  インペラーケーシング          １９  インペラー
１９ａ  出力軸                      ２０  回転モータ
２１  攪拌羽根                      ２２  土砂等排出管
２３  土砂等貯留タンク              ２４  固定リブ
２５  ジェット水発生部              ２６  吸引開口部
２７  吐出開口部                    ２８  インペラーケーシング
２９  インペラー                    ２９ａ  出力軸
３０  回転モータ                    ３１  第１のジェット水圧送配管
３２  筒状ストレーナ                ３３  第２のジェット水圧送配管
３４  固定リブ                      ３５  ホース接続部
３６  ジェット水噴出ホース          ３７  ジェット水噴出ノズル
３７ａ  ジェット水噴出ノズル        ３７ｂ  ジェット水噴出ノズル
３８  補強リング                    ３９  抜け止め嵌合部
４０  抜け止め嵌合部                ４１  噴出孔
４２  噴出孔                        ４３  噴出孔
４４  ホース接続部                  ４５  ジェット水噴出ホース
４６  ジェット水噴出ノズル          ４７  ジェットエア噴出機構
４８  エアコンプレッサ              ４９  吐出開口部
５０  第１のジェットエア圧送配管    ５１  第２のジェットエア圧送配管
５２  ホース接続部                  ５３  ジェットエア噴出ホース
５４  ジェットエア噴出ノズル
【図１】
0003992854.tif 000002
【図２】
0003992854.tif 000003
【図３】
0003992854.tif 000004
【図４】
0003992854.tif 000005
【図５】
0003992854.tif 000006
【図６】
0003992854.tif 000007
【図７】
0003992854.tif 000008
【図８】
0003992854.tif 000009